(57)【要約】【課題】記録データに検索情報を付加し、情報の取得効率の向上と情報管理の簡易化を図ること。【解決手段】カメラ１０５とマイク１０６からそれぞれ入力される画像データおよび音声データの少なくともいずれか一方の記録データを記録している最中に、携帯端末１０１のタッチパネル２０５から記録データを所望の位置から再生させるための検索情報を入力し、この検索情報を２次元バーコードなどのパターン情報としてプリンタ１０２から紙媒体に印刷する。このパターン情報を読み取り、紙媒体に関連付けられた記録データを取得することにより、情報の取得効率の向上を図る。【選択図】        図１
2005072811.tif 000002
【特許請求の範囲】
【請求項１】
撮影対象を撮影し画像データを得る撮影工程と、
前記撮影対象の音声を取得し音声データを得る音声取得工程と、
前記撮影工程によって得た前記画像データ、および、前記音声取得工程によって得た前記音声データの少なくともいずれか一方を記録データとして記録する記録工程と、
前記記録工程によって前記記録データを記録する際に、該記録データを検索するための検索情報の入力を受け付ける検索情報入力工程と、
前記検索情報入力工程によって入力が受け付けられた前記検索情報を、対応する所定のパターン情報に変換する変換工程と、
前記変換工程によって変換された前記パターン情報を紙媒体に印刷する印刷工程と、
を含むことを特徴とする情報処理方法。
【請求項２】
前記検索情報入力工程は、前記検索情報と、該検索情報の入力を受け付けたときの時刻情報を入力することを特徴とする請求項１に記載の情報処理方法。
【請求項３】
前記印刷工程は、前記検索情報入力工程によって入力が受け付けられた検索情報を、前記変換工程によりパターン情報に変換して印刷する際に、前記記録工程によって記録される前記記録データのうち、前記検索情報の入力が受け付けられた時刻情報が示す時刻に該当する前記画像データの一部を静止画像として印刷することを特徴とする請求項１または２に記載の情報処理方法。
【請求項４】
前記印刷工程は、検索情報が前記検索情報入力工程によって入力が受け付けられ、該検索情報が前記変換工程によってパターン情報に変換される都度、該パターン情報を印刷することを特徴とする請求項１〜３のいずれか一つに記載の情報処理方法。
【請求項５】
前記検索情報入力工程は、
検索情報の入力を受け付ける都度、該検索情報を記憶する記憶工程を含み、
前記変換工程は、前記記録工程によって前記記録データが記録された後に、前記記憶工程によって記憶された前記検索情報を、対応する所定のパターン情報に一括して変換し、
前記印刷工程は、前記変換工程によって一括して変換された前記パターン情報を印刷することを特徴とする請求項１〜３のいずれか一つに記載の情報処理方法。
【請求項６】
前記記録工程によって前記記録データが記録された後に、前記印刷工程によって前記紙媒体に印刷された前記パターン情報を読み取る読み取り工程と、
前記記録工程によって記録された前記記録データのなかから、前記読み取り工程によって読み取られた前記パターン情報の内容によって特定される前記記録データを取得要求する取得要求工程と、
前記取得要求工程によって取得した前記記録データを、画像、文字、音声などを用いて出力する出力工程と、
を含むことを特徴とする請求項１〜５のいずれか一つに記載の情報処理方法。
【請求項７】
前記請求項１〜６のいずれか一つに記載された方法をコンピュータに実行させることを特徴とするプログラム。
【請求項８】
撮影対象を撮影し画像データを得るための撮影手段と、
前記撮影対象の音声を取得し音声データを得るための音声取得手段と、
前記撮影手段によって得られた前記画像データ、および、前記音声取得手段によって得られた前記音声データの少なくともいずれか一方を記録データとして記録する記録手段と、
前記記録手段によって前記記録データを記録する際に、該記録データを検索するための検索情報の入力を受け付ける検索情報入力手段と、
前記検索情報入力手段によって入力が受け付けられた前記検索情報を、対応する所定のパターン情報に変換する変換手段と、
前記変換手段によって変換された前記パターン情報を紙媒体に印刷する印刷手段と、
を備えることを特徴とする情報処理システム。
【請求項９】
前記検索情報入力手段は、前記検索情報と、該検索情報の入力を受け付けたときの時刻情報を入力することを特徴とする請求項８に記載の情報処理システム。
【請求項１０】
前記印刷手段は、前記検索情報入力手段によって入力が受け付けられた検索情報を、前記変換手段によりパターン情報に変換して印刷する際に、前記記録手段によって記録される前記記録データのうち、前記検索情報の入力が受け付けられた時刻情報が示す時刻に該当する前記画像データの一部を静止画像として印刷することを特徴とする請求項８または９に記載の情報処理システム。
【請求項１１】
前記印刷手段は、検索情報が前記検索情報入力手段によって入力が受け付けられ、該検索情報が前記変換手段によってパターン情報に変換される都度、該パターン情報を印刷することを特徴とする請求項８〜１０のいずれか一つに記載の情報処理システム。
【請求項１２】
前記検索情報入力手段は、
検索情報の入力を受け付ける都度、該検索情報を記憶する記憶手段を備え、
前記変換手段は、前記記録手段によって前記記録データが記録された後に、前記記憶手段によって記憶された前記検索情報を、対応する所定のパターン情報に一括して変換し、
前記印刷手段は、前記変換手段によって一括して変換された前記パターン情報を印刷することを特徴とする請求項８〜１０のいずれか一つに記載の情報処理システム。
【請求項１３】
前記印刷手段によって印刷される前記紙媒体は、所望の形状および寸法に形成された普通紙であることを特徴とする請求項８〜１２のいずれか一つに記載の情報処理システム。
【請求項１４】
前記印刷手段によって印刷される前記紙媒体は、所望の形状および寸法に形成された紙性基材の片方の面の一部に再接着が繰り返し可能な接着剤を塗布した前記紙性基材であることを特徴とする請求項８〜１２のいずれか一つに記載の情報処理システム。
【請求項１５】
前記印刷手段によって印刷される前記紙媒体は、所望の形状および寸法に形成されたラベル基材の片方の面の全域に接着剤を塗布した前記ラベル基材であることを特徴とする請求項８〜１２のいずれか一つに記載の情報処理システム。
【請求項１６】
前記パターン情報は、バーコードであることを特徴とする請求項８〜１５のいずれか一つに記載の情報処理システム。
【請求項１７】
前記バーコードは、２次元バーコードであることを特徴とする請求項１６に記載の情報処理システム。
【請求項１８】
前記記録手段によって前記記録データが記録されることにより、前記印刷手段によって前記紙媒体に印刷された前記パターン情報を読み取る読み取り手段と、
前記記録手段によって記録された前記記録データのなかから、前記読み取り手段によって読み取られた前記パターン情報の内容によって特定される前記記録データを取得要求する取得要求手段と、
前記取得要求手段によって取得した前記記録データを、画像、文字、音声などを用いて出力する出力手段と、
を備えることを特徴とする請求項８〜１７のいずれか一つに記載の情報処理システム。
【発明の詳細な説明】
【技術分野】
【０００１】
この発明は、情報処理方法、およびその方法をコンピュータに実行させるプログラム、情報処理システムに関し、音声データや画像データなどの記録、再生をおこなう情報処理システムに関し、特に、記録後のデータ検索をしやすくすることにより、情報の取得効率の向上と、情報管理の簡易化を図る情報処理方法、およびその方法をコンピュータに実行させるプログラム、情報処理システムに関する。
【背景技術】
【０００２】
一般に、仕事や生活に必要とされる情報は、紙媒体、あるいは、電子記憶媒体から得ることが多い。紙媒体は、たとえば、新聞、雑誌、書籍、メモ、郵便物などであり、文字や画像などの情報を授受する際に利用する。一方、電子記憶媒体は、テレビ局、ラジオ局、通信用衛星などから伝達される電波や、ビデオカメラを使って撮影した画像および音声データを電子ファイル化して記憶する。あるいは、インターネットを介して取得する画像や音声などのＷｅｂコンテンツや、ＣＤ−ＲＯＭやＤＶＤなどで配布されるコンテンツなどを記憶する媒体である。電子記憶媒体は、たとえば、ＨＤやＣＤ−ＲＷやＤＶＤなどであり、文字や音声や画像情報を授受する際に利用する。
【０００３】
そして、紙媒体は、一覧性がよい、扱い易いなどの長所を備え、文字情報などの追記性が高い。電子記憶媒体は、情報の記憶容量が紙媒体より格段に多いため、そこに記憶される電子ファイルは、情報記述能力が高い、直感的な理解がしやすいなどの点で優れた出力を得ることができるという長所を持つ。このような異なる性質や長所を持つ紙媒体と、電子記憶媒体とを関連付ける技術が提案されている。
【０００４】
この技術は、新聞や書籍などの紙媒体情報を、インターネット上のような異なる媒体に記憶されるＷｅｂコンテンツに関連付けるものである。たとえば、新聞や書籍等の印刷物の紙面上に予め個々の掲載内容を特定する索引コードを併記しておく。この索引コードを端末装置の入力装置、または、読取装置から入力し、ネットワークを介してサーバに送信し、索引コードに対応してサーバ装置から送信される電子ファイルをディスプレイ、スピーカ、プリンタなどから出力することによって、新聞、書籍等の印刷物に掲載された内容に関連する電子ファイルを容易に入手する情報を取得する方法を提案したものである（下記特許文献１参照。）。
【０００５】
【特許文献１】特開平０８−２７２７２０号公報
【発明の開示】
【発明が解決しようとする課題】
【０００６】
しかしながら、上述した特許文献１の方法が、紙媒体による紙面情報と、電子記憶媒体による電子ファイル情報と、を関連付ける仕組みであったとしても、この発明は、新聞社や出版社などが予め準備した印刷物などの紙面情報に掲載された索引コードからだけしか電子ファイル情報の取得をおこなうことができない。このため、個人や他の企業などが索引コードを自由に生成し、電子ファイル情報と関連付けて利用することはできない。
【０００７】
また、特許文献１の方法では、各個人で必要な情報を保持しておきたい場合、紙面情報に掲載された索引コードから取得できる電子ファイル情報が予め決まっているため、与えられた電子ファイル情報のなかから必要な情報を選別する必要がある。さらに、選別した電子ファイル情報に関連付けられた索引コードを、掲載された新聞や雑誌などから切り抜きをしておいたり、ノートなど他の紙媒体に転記しておく作業が必要となる。
【０００８】
そして、特許文献１の方法では、たとえば、取得した電子ファイル情報が動画像のデータであった場合、この動画像のデータはデータの開始位置から再生がおこなわれてしまう。このため、見たい情報がデータ途中にある場合、その位置まで早送りをしたりする必要があり、効率的な再生をすることができない。
【０００９】
一方、動画像や音声などの時系列に変化する動的な電子ファイル情報は、内容を確認しながら記憶しておきたい位置を見つけることが普通なので、それらを記録している最中や、見直しをしている途中で、記憶しておきたい位置を指示あるいはチェックできることが望まれる。
【００１０】
この発明は、上述した従来技術による問題点を解消するため、記録後の音声データや画像データを効率的に再生させるための検索情報を付加し、この検索情報の示すデータ位置と紙媒体とを関連付け、紙媒体から簡単に再生指示をおこなわせることにより、情報の取得効率の向上と、情報管理の簡易化を図ることができる情報処理方法、およびその方法をコンピュータに実行させるプログラム、情報処理システムを提供することを目的とする。
【課題を解決するための手段】
【００１１】
上述した課題を解決し、目的を達成するため、請求項１の発明にかかる情報処理方法は、撮影対象を撮影し画像データを得る撮影工程と、前記撮影対象の音声を取得し音声データを得る音声取得工程と、前記撮影工程によって得た前記画像データ、および、前記音声取得工程によって得た前記音声データの少なくともいずれか一方を記録データとして記録する記録工程と、前記記録工程によって前記記録データを記録する際に、該記録データを検索するための検索情報の入力を受け付ける検索情報入力工程と、前記検索情報入力工程によって入力が受け付けられた前記検索情報を、対応する所定のパターン情報に変換する変換工程と、前記変換工程によって変換された前記パターン情報を紙媒体に印刷する印刷工程と、を含んだことを特徴とする。
【００１２】
また、請求項２の発明にかかる情報処理方法は、請求項１に記載の発明において、前記検索情報入力工程は、前記検索情報と、該検索情報の入力を受け付けたときの時刻情報を入力することを特徴とする。
【００１３】
また、請求項３の発明にかかる情報処理方法は、請求項１または２に記載の発明において、前記印刷工程は、前記検索情報入力工程によって入力が受け付けられた検索情報を、前記変換工程によりパターン情報に変換して印刷する際に、前記記録工程によって記録される前記記録データのうち、前記検索情報の入力が受け付けられた時刻情報が示す時刻に該当する前記画像データの一部を静止画像として印刷することを特徴とする。
【００１４】
また、請求項４の発明にかかる情報処理方法は、請求項１〜３のいずれか一つに記載の発明において、前記印刷工程は、検索情報が前記検索情報入力工程によって入力が受け付けられ、該検索情報が前記変換工程によってパターン情報に変換される都度、該パターン情報を印刷することを特徴とする。
【００１５】
また、請求項５の発明にかかる情報処理方法は、請求項１〜３のいずれか一つに記載の発明において、前記検索情報入力工程は、検索情報の入力を受け付ける都度、該検索情報を記憶する記憶工程を含み、前記変換工程は、前記記録工程によって前記記録データが記録された後に、前記記憶工程によって記憶された前記検索情報を、対応する所定のパターン情報に一括して変換し、前記印刷工程は、前記変換工程によって一括して変換された前記パターン情報を印刷することを特徴とする。
【００１６】
また、請求項６の発明にかかる情報処理方法は、請求項１〜５のいずれか一つに記載の発明において、前記記録工程によって前記記録データが記録された後に、前記印刷工程によって前記紙媒体に印刷された前記パターン情報を読み取る読み取り工程と、前記記録工程によって記録された前記記録データのなかから、前記読み取り工程によって読み取られた前記パターン情報の内容によって特定される前記記録データを取得要求する取得要求工程と、前記取得要求工程によって取得した前記記録データを、画像、文字、音声などを用いて出力する出力工程と、を含んだことを特徴とする。
【００１７】
また、請求項７の発明にかかるプログラムは、前記請求項１〜６のいずれか一つに記載された方法をコンピュータに実行させることができる。
【００１８】
また、請求項８の発明にかかる情報処理システムは、撮影対象を撮影し画像データを得るための撮影手段と、前記撮影対象の音声を取得し音声データを得るための音声取得手段と、前記撮影手段によって得られた前記画像データ、および、前記音声取得手段によって得られた前記音声データの少なくともいずれか一方を記録データとして記録する記録手段と、前記記録手段によって前記記録データを記録する際に、該記録データを検索するための検索情報の入力を受け付ける検索情報入力手段と、前記検索情報入力手段によって入力が受け付けられた前記検索情報を、対応する所定のパターン情報に変換する変換手段と、前記変換手段によって変換された前記パターン情報を紙媒体に印刷する印刷手段と、を備えたことを特徴とする。
【００１９】
また、請求項９の発明にかかる情報処理システムは、請求項８に記載の発明において、前記検索情報入力手段は、前記検索情報と、該検索情報の入力を受け付けたときの時刻情報を入力することを特徴とする。
【００２０】
また、請求項１０の発明にかかる情報処理システムは、請求項８または９に記載の発明において、前記印刷手段は、前記検索情報入力手段によって入力が受け付けられた検索情報を、前記変換手段によりパターン情報に変換して印刷する際に、前記記録手段によって記録される前記記録データのうち、前記検索情報の入力が受け付けられた時刻情報が示す時刻に該当する前記画像データの一部を静止画像として印刷することを特徴とする。
【００２１】
また、請求項１１の発明にかかる情報処理システムは、請求項８〜１０のいずれか一つに記載の発明において、前記印刷手段は、検索情報が前記検索情報入力手段によって入力が受け付けられ、該検索情報が前記変換手段によってパターン情報に変換される都度、該パターン情報を印刷することを特徴とする。
【００２２】
また、請求項１２の発明にかかる情報処理システムは、請求項８〜１０のいずれか一つに記載の発明において、前記検索情報入力手段は、検索情報の入力を受け付ける都度、該検索情報を記憶する記憶手段を備え、前記変換手段は、前記記録手段によって前記記録データが記録された後に、前記記憶手段によって記憶された前記検索情報を、対応する所定のパターン情報に一括して変換し、前記印刷手段は、前記変換手段によって一括して変換された前記パターン情報を印刷することを特徴とする。
【００２３】
また、請求項１３の発明にかかる情報処理システムは、請求項８〜１２のいずれか一つに記載の発明において、前記印刷手段によって印刷される前記紙媒体は、所望の形状および寸法に形成された普通紙であることを特徴とする。
【００２４】
また、請求項１４の発明にかかる情報処理システムは、請求項８〜１２のいずれか一つに記載の発明において、前記印刷手段によって印刷される前記紙媒体は、所望の形状および寸法に形成された紙性基材の片方の面の一部に再接着が繰り返し可能な接着剤を塗布した前記紙性基材であることを特徴とする。
【００２５】
また、請求項１５の発明にかかる情報処理システムは、請求項８〜１２のいずれか一つに記載の発明において、前記印刷手段によって印刷される前記紙媒体は、所望の形状および寸法に形成されたラベル基材の片方の面の全域に接着剤を塗布した前記ラベル基材であることを特徴とする。
【００２６】
また、請求項１６の発明にかかる情報処理システムは、請求項８〜１５のいずれか一つに記載の発明において、前記パターン情報は、バーコードであることを特徴とする。
【００２７】
また、請求項１７の発明にかかる情報処理システムは、請求項１６に記載の発明において、前記バーコードは、２次元バーコードであることを特徴とする。
【００２８】
また、請求項１８の発明にかかる情報処理システムは、請求項８〜１７のいずれか一つに記載の発明において、前記記録手段によって前記記録データが記録されることにより、前記印刷手段によって前記紙媒体に印刷された前記パターン情報を読み取る読み取り手段と、前記記録手段によって記録された前記記録データのなかから、前記読み取り手段によって読み取られた前記パターン情報の内容によって特定される前記記録データを取得要求する取得要求手段と、前記取得要求手段によって取得した前記記録データを、画像、文字、音声などを用いて出力する出力手段と、を備えたことを特徴とする。
【発明の効果】
【００２９】
以上説明したように、本発明によれば、記録後の音声データや画像データを効率的に再生させるための検索情報を付加し、この検索情報の示すデータ位置と紙媒体とを関連付け、紙媒体から簡単に再生指示をおこなわせることにより、情報の取得効率の向上と、情報管理の簡易化を図ることができるという効果を奏する。
【発明を実施するための最良の形態】
【００３０】
以下に添付図面を参照して、この発明にかかる情報処理方法、およびその方法をコンピュータに実行させるプログラム、情報処理システムの好適な実施の形態を詳細に説明する。
【００３１】
（実施の形態１）
まず、この発明の本実施の形態にかかる情報処理システムのシステム構成について説明する。図１は、この発明の本実施の形態１にかかる情報処理システムのシステム構成を示す構成図である。図に示すように、ＬＡＮ（Ｌｏｃａｌ  Ａｒｅａ  Ｎｅｔｗｏｒｋ）１００を介して、携帯端末１０１と、プリンタ１０２と、動画表示用端末装置１０４と、ビデオ記録・配信用端末装置１０７と、プリントサーバ１０８と、が接続されている。また、動画表示用端末装置１０４にはコードスキャナ１０３が接続され、ビデオ記録・配信用端末装置１０７にはカメラ１０５と、マイク１０６と、が接続されている。
【００３２】
図１において、携帯端末１０１は、後述するビデオ記録・配信用端末装置１０７にて記録する記録データを所望の位置から再生させるための検索情報の入力操作をおこなうための端末装置である。キーボードや、後述するタッチパネル２０５（図２参照）や、感圧式のペン入力可能な機器などから検索情報の入力をおこなう機能を備える。また、ビデオ記録・配信用端末装置１０７から記録データのファイル名などの情報を取得するため、ＬＡＮ１００や、インターネットを介してデータの受け渡しをおこなうための情報通信機能を備えている。携帯端末１０１は、通信機能を備えたＰＤＡ（Ｐｅｒｓｏｎａｌ  Ｄｉｇｉｔａｌ  Ａｓｓｉｓｔａｎｔ（Ｒ））としているが、デスクトップ型パーソナルコンピュータや、ノート型パーソナルコンピュータであってもよい。
【００３３】
プリンタ１０２は、資料、文書、画像データなどの印刷をおこなうもので、たとえば、レーザプリンタや、インクジェットプリンタなどである。プリンタ１０２は、各装置から出される印刷命令がプリントサーバ１０８に送信され、プリントサーバ１０８の印刷制御によって印刷出力される。
【００３４】
動画表示用端末装置１０４は、図示しないＣＰＵ、ＲＡＭ、ディスプレイ、ＨＤ（ハードディスク）などを備えた一般的な情報処理装置で構成される。動画表示用端末装置１０４は、後述するビデオ記録・配信用端末装置１０７に記録された音声データおよび画像データの少なくともいずれか一方を記録データとして検索し、ビデオ記録・配信用端末装置１０７から記録データを取得することによってディスプレイ上に再生する。この動画表示用端末装置１０４は、ハードディスクなどに記憶された、記録データを再生するための動画表示プログラムを、ＣＰＵの制御によりＲＡＭに展開し実行する。また、動画表示用端末装置１０４には、バーコードを読み取るためのコードスキャナ１０３が接続されており、記録データの検索の際に使用する。動画表示用端末装置１０４は、たとえば、各種パーソナルコンピュータやワークステーションなどを用いる。
【００３５】
ビデオ記録・配信用端末装置１０７は、講演会場や、会議室などの対象場面でのデータの記録と、記録データの配信をおこなう。ビデオ記録・配信用端末装置１０７は、図示しないＣＰＵ、ＲＡＭ、ディスプレイ、ハードディスクなどを備えており、ビデオ記録・配信用端末装置１０７は、カメラ１０５およびマイク１０６によって撮影される画像データや音声データからなる記録データを、一時的なバッファリングを目的としたメモリなどを経由し入力する。その際、マイク１０６からの音声データは音声入力インターフェースを介して取り込まれ、カメラ１０５からの画像データは画像インターフェースを介して取り込まれる。ビデオ記録・配信用端末装置１０７は、たとえば、各種パーソナルコンピュータやワークステーションなどを用いる。
【００３６】
そして、この発明のビデオ記録・配信用端末装置１０７は、ハードディスクなどに記憶された、記録データを記録するための記録プログラムを、ＣＰＵの制御によりＲＡＭに展開し実行することによって構成されている。入力された画像データおよび音声データなどの記録データは、記録プログラムの制御により、ハードディスクや、ＭＯなどの記憶装置にファイル出力される。
【００３７】
なお、動画表示用端末装置１０４は、その他の装置と同一のＬＡＮ内に接続されていれば、たとえば、オフィスの居室など、対象場面以外の場所に置かれていても構わない。また、前記ビデオ記録・配信用端末装置１０７には、対象シーンの映像を記録するカメラ１０５、および、音声を記録するマイク１０６が接続されている。
【００３８】
図２は、この発明の本実施の形態１にかかる携帯端末のハードウエア構成を示すブロック図である。携帯端末１０１は、図２に示すようにＣＰＵ２０１と、メモリ２０２と、クロック２０３と、液晶ディスプレイ２０４と、タッチパネル２０５と、ネットワークインターフェース２０６と、を備えている。また、各構成部はバス２００によってそれぞれ接続されている。
【００３９】
ここで、ＣＰＵ２０１は、携帯端末１０１全体の制御を司る。メモリ２０２は、ＣＰＵ２０１のワークエリアとして使用される。クロック２０３は、システムクロックであり携帯端末１０１上の全ての時間情報の基準となる時計として使用される。液晶ディスプレイ２０４は、液晶表示器を使用したディスプレイである。
【００４０】
タッチパネル２０５は、ユーザがペンで接触したことを検知し、ペンがパネルに触れた場合にはペンダウン信号、ペンがパネルに触れたまま移動した場合にはペンムーブ信号、ペンがパネルから離れた場合にはペンアップ信号、および、その位置信号であるＸＹ座標値を出力する。また、ディスプレイ上に表示されたボタンなどに対してユーザが操作できるように、液晶ディスプレイ２０４の表示面に重ねて設置する。
【００４１】
携帯端末１０１は、図示しないＲＯＭやハードディスクなどに記憶された入力プログラムを、ＣＰＵ２０１の制御によりＲＡＭに展開し実行する。入力プログラムは、ビデオ記録・配信用端末装置１０７が記録する記録データを検索するための検索情報を入力するプログラムである。検索情報の入力は、上述したタッチパネル２０５にて、付属のペンまたは指によるタップ信号を取得することによっておこなう。
【００４２】
図３は、この発明の本実施の形態１にかかるビデオ記録・配信用端末装置における記録プログラムの処理の一例を示すフローチャートである。図３では、ビデオ記録・配信用端末装置１０７で動作し、カメラ１０５およびマイク１０６の少なくともいずれか一方により取得した、記録データを記録する記録プログラムの動作をフローチャートにて示す。
【００４３】
ビデオ記録・配信用端末装置１０７にて記録プログラムが実行されると、後述する記録プログラムの表示画面（図４参照）を表示する（ステップＳ３０１）。そして、後述するＳｔａｒｔボタン４０２（図４参照）が押下されたか否かを判断する（ステップＳ３０２）。Ｓｔａｒｔボタン４０２が押下されていないと判断した場合は（ステップＳ３０２：Ｎｏ）、そのまま判断を継続する（ステップＳ３０２）。
【００４４】
Ｓｔａｒｔボタン４０２が押下されたと判断した場合は（ステップＳ３０２：Ｙｅｓ）、カメラ１０５からの画像データ、および、マイク１０６からの音声データの少なくともいずれか一方による記録データを、ビデオ記録・配信用端末装置１０７の不図示のハードディスクや、外部記憶装置などに記録する（ステップＳ３０３）。
【００４５】
そして、後述するＳｔｏｐボタン４０３（図４参照）が押下されたか否かを判断する（ステップＳ３０４）。Ｓｔｏｐボタン４０３が押下されていないと判断した場合は（ステップＳ３０４：Ｎｏ）、そのまま記録データの記録をおこない、判断を継続する（ステップＳ３０４）。Ｓｔｏｐボタン４０３が押下されたと判断した場合は（ステップＳ３０４：Ｙｅｓ）、記録データの記録を停止して記録データを保存し、処理を終了する。
【００４６】
図４は、この発明の本実施の形態１にかかる記録プログラムの表示画面の一例を示す説明図である。図４に示す表示画面は、ビデオ記録・配信用端末装置１０７にて実行され、図３にてフローチャートを示した記録プログラムによって表示される。
【００４７】
ビデオ記録・配信用端末装置１０７にて記録プログラムが実行されると、図４に示すウィンドウ４００が、ディスプレイ上に表示される。画面上部に示すオブジェクト４０１には、カメラ１０５が撮影し、記録している画像が表示される。そして、画面下部には、Ｓｔａｒｔボタン４０２と、Ｓｔｏｐボタン４０３が表示される。Ｓｔａｒｔボタン４０２を押下するとビデオ記録・配信用端末装置１０７に対して、カメラ１０５からの画像データ、および、マイク１０６からの音声データの少なくともいずれか一方による記録データの記録が開始され、Ｓｔｏｐボタン４０３を押下すると記録を停止する。
【００４８】
記録されるデータのファイル形式は、たとえば、ＭＰＥＧ−４（Ｍｏｖｉｎｇ  Ｐｉｃｔｕｒｅ  Ｅｘｐｅｒｔｓ  Ｇｒｏｕｐ  Ｐｈａｓｅ  ４）とする。また記録される際のファイル名の例としては、２００２年９月１３日１５時２５分１９秒から記録が開始される場合、年月日時分秒をファイル名とした「２００２−０９−１３−１５−２５−１９．ｍｐｇ」と名付けることで、同時に記録データが記録されない限りファイル名を一意に決めることができる。
【００４９】
図５は、この発明の本実施の形態１にかかる携帯端末１０１における入力プログラムの処理の一例を示すフローチャートである。図５では、ビデオ記録・配信用端末装置１０７に記録する記録データを所望の位置から再生させるための検索情報を、携帯端末１０１上にて入力するための入力プログラムの動作をフローチャートにて示す。
【００５０】
携帯端末１０１にて入力プログラムが実行されると、後述する入力プログラムの表示画面（図６参照）を液晶ディスプレイ２０４に表示する（ステップＳ５０１）。つぎに、液晶ディスプレイ２０４上のタッチパネル２０５に表示される、後述するＩｎｓｅｒｔボタン６０１（図６参照）に対して、ユーザからのペンを用いた指示入力の待機状態に入る（ステップＳ５０２）。そして、後述する、Ｅｎｄボタン６０２（図６参照）が押下されたか否かを判断する（ステップＳ５０３）。Ｅｎｄボタン６０２が押下されたと判断した場合は（ステップＳ５０３：Ｙｅｓ）、そのまま処理を終了する。
【００５１】
Ｅｎｄボタン６０２が押下されず、Ｉｎｓｅｒｔボタン６０１が押下されたと判断した場合は（ステップＳ５０３：Ｎｏ）、後でビデオ記録・配信用端末装置１０７に記録された記録データを所望の位置から再生させるための検索情報の入力をおこなう（ステップＳ５０４）。そして、ステップＳ５０４にて入力した検索情報を、クロック２０３にて取得する時刻情報とともにネットワークインターフェース２０６を介してプリントサーバ１０８に印刷要求を送信し（ステップＳ５０５）、処理を終了する。
【００５２】
図６は、この発明の本実施の形態１にかかる入力プログラムの表示画面の一例を示す説明図である。図６では、携帯端末１０１にて入力プログラムが実行される際に表示される表示画面を示している。この表示画面をインターフェースとして、図３にて示した記録プログラムによる記録データを所望の位置から再生させるための検索情報の入力をおこなう。
【００５３】
携帯端末１０１にて入力プログラムが起動されると、ウィンドウ６００が液晶ディスプレイ２０４上に表れる。ウィンドウ６００は、上部に検索情報を入力する際の説明が表示され、その下にはＩｎｓｅｒｔボタン６０１と、Ｅｎｄボタン６０２が表示される。Ｉｎｓｅｒｔボタン６０１は、ビデオ記録・配信用端末装置１０７によって記録データが記録されている最中に検索情報を入力するものである。
【００５４】
検索情報を入力するタイミングは、撮影対象を直に見ながらＩｎｓｅｒｔボタン６０１を押下すればよい。また、記録している記録データをビデオ記録・配信用端末装置１０７のウィンドウ６００に表示させ、目で確認をしながら後で再生させたい場面が表示されたときにＩｎｓｅｒｔボタン６０１を押下するなどしてもよい。入力される検索情報の内容については図７にて後述する。そして、画面下部には、Ｅｎｄボタン６０２が表示される。Ｅｎｄボタン６０２を押下すると検索情報を入力するための入力プログラムが終了し、図６のウィンドウ６００が閉じられる。
【００５５】
図７は、この発明の本実施の形態１にかかる検索情報の一例を示す説明図である。図７では、携帯端末１０１にて入力プログラムが実行され、Ｉｎｓｅｒｔボタン６０１が押下されたときに入力される検索情報について示している。
【００５６】
たとえば、ビデオ記録・配信用端末装置１０７による記録データの記録開始時刻が２００２年９月１３日１５時２５分１９秒とする。また、Ｉｎｓｅｒｔボタン６０１が押下された時刻が２００２年９月１３日１５時３５分２４秒とする。この場合、Ｉｎｓｅｒｔボタン６０１が押下された時点が、記録の開始から６０５秒経過後となり、携帯端末１０１にて実行される入力プログラムは図７のような検索情報を生成する。図の検索情報例７０１に示す、ｖｉｄｅｏｓｅｒｖｅｒは、ビデオ記録・配信用端末装置１０７のホスト名を指し、また、ｖｉｅｗ．ｃｇｉは、後述する動画配信プログラム本体のファイル名を指す。
【００５７】
また、記録データのファイル名は、携帯端末１０１上の入力プログラムにてＩｎｓｅｒｔボタン６０１が押下されるたびに、ビデオ記録・配信用端末装置１０７から携帯端末１０１に取得される。この例では、２００２−０９−１３−１５−２５−１９．ｍｐｇという記録データを（図中の、ｓｒｃ＝）、６０５秒から（図中の、ｓｔａｒｔ＝）再生するよう指示するデータを示している。また、ＵＲＬ変数の与え方や、動画配信プログラム内の取り決めにより、開始時刻からの経過時間だけでなく、開始時刻から終了時刻までや、指定時刻から所定の時間分（たとえば、３分間など）などの指示を送信させることもできる。そして、図７にて示した検索情報であるＵＲＬをアクセスすることにより、ビデオ記録・配信用端末装置１０７から記録データを取得させることができる。
【００５８】
図８は、この発明の本実施の形態１にかかるプリントサーバ１０８におけるパターン情報印刷プログラムの処理の一例を示すフローチャートである。図８では、携帯端末１０１にて入力された検索情報をパターン情報に変換し、プリンタ１０２にて印刷をおこなうまでの動作をフローチャートにて示す。
【００５９】
プリントサーバ１０８にて実行されているパターン情報印刷プログラムは、携帯端末１０１にて実行される入力プログラムから送信される検索情報を受信する（ステップＳ８０１）。受信した検索情報から、可視のパターン情報に変換する（ステップＳ８０２）。たとえば、検索情報が半角英数字により表現されている場合、ＰＤＦ４１７コードを用いることにより、２次元バーコードであるパターン情報に変換することができる（たとえば、後述する図９のメモ用紙９０１の文字情報として記された検索情報の下に表示されているパターン情報など）。
【００６０】
ここで、バーコード、特に２次元バーコードは、コード化できるデータ容量が１次元バーコードと比較して多い点に特徴がある。１次元バーコードが識別コードとして使用されるのに対し、２次元バーコードは大容量データ収納媒体として使用できることを意味する。また、特別な数学的な手法による誤り復元機能を備え、印字精度が悪かったり、コードの一部が汚れたり破損していても、正確な読み取りをすることができる。
【００６１】
本発明では、検索情報の読み取りをバーコード入力でおこなわせることにより、記録データを取得する際の入力の手間を省き、効率よく取得することができる。さらに、バーコードを１次元バーコードではなく、２次元バーコードを利用することにより、検索情報として多くのデータを保持させることが可能となり、読み取りをおこなう際の操作性も向上させることが可能となる。
【００６２】
また、ＡＩＮＩＸ社のＢａｒＳｔａｒ  Ｐｒｏ  ＤＴＫ（Ｒ）という市販のソフトウェア開発キットなどを用いることにより、文字情報である検索情報をパターン情報へ変換することができる。つぎに、ステップＳ８０２にて変換したパターン情報を、プリンタ１０２に印刷指示を出して印刷をおこなう（ステップＳ８０３）。この動作は、既存の各種ＯＳ（Ｏｐｅｒａｔｉｎｇ  Ｓｙｓｔｅｍ）の機能により印刷コマンドを発行し、プリンタ１０２にインストールされたプリンタドライバの制御を用いて容易に実現することができる。そして、パターン情報を印刷出力する先は、一覧性や追記性が優れている点から紙媒体とするが、ＯＨＰシートなど他に利用可能な媒体があれば必要に応じて使用できるものとする。
【００６３】
図９は、この発明の本実施の形態１にかかる印刷された紙媒体例１を示す説明図である。図９では、携帯端末１０１にて入力された検索情報を、プリントサーバ１０８にてパターン情報として変換し、プリンタ１０２にて印刷をおこなった際の印刷結果の具体例を示すものである。
【００６４】
図９に示す例は、印刷先の紙媒体をメモ用紙９０１とした説明図である。メモ用紙９０１の最上部には、入力された検索情報が文字情報として記されており、その下には検索情報を変換したパターン情報が印刷されている。さらに、その下には罫線が引かれており、ユーザはこのメモ用紙９０１を用いて、携帯端末１０１から検索情報を入力した場面に対するメモ書きをおこなうことができる。これにより、記録データの重要な場面に関する手書きメモと、記録データそのものとを容易に関連付けすることができるようになる。
【００６５】
図１０は、この発明の本実施の形態１にかかる印刷された紙媒体例２を示す説明図である。図１０では、図９と同様、携帯端末１０１にて入力された検索情報を、プリントサーバ１０８によりパターン情報として変換し、プリンタ１０２にて印刷をおこなった際の印刷結果の具体例を示すものである。
【００６６】
図１０に示す例は、印刷先の紙媒体をシール台紙１００１付きのラベル１００２とした説明図である。図において、ラベル１００２には検索情報を変換したパターン情報のみが印刷されている。たとえば、会議や講演中にレジュメなどの紙の資料が配布されている場合や、自らが用意したメモ帳に書き込みをおこなっている場合に、このラベル１００２をそれらの資料や、メモ帳などの紙媒体に貼ることにより、紙情報と記録データとを容易に関連付けることができるようになる。
【００６７】
図１１は、この発明の本実施の形態１にかかる印刷された紙媒体例３を示す説明図である。図１１では、図９や図１０と同様、携帯端末１０１にて入力された検索情報を、プリントサーバ１０８にてパターン情報として変換し、プリンタ１０２にて印刷をおこなった際の印刷結果の具体例を示すものである。
【００６８】
図１１に示す例は、印刷先の紙媒体を付箋紙１１０１とした説明図である。図において、付箋紙１１０１には検索情報を変換したパターン情報のみが印刷されている。また、図の斜線部の裏側には、繰り返し剥がすことが可能な接着剤が塗布されている。この付箋紙１１０１は、図１０にて示したラベル１００２と同様に、記録データと関連する、配布された資料やメモの重要な箇所に貼ることにより、紙情報と記録データとを関連付けさせることができるようになる。
【００６９】
図１２は、この発明の本実施の形態１にかかる動画表示用端末装置１０４における動画表示プログラムの処理の一例を示すフローチャートである。図１２では、プリンタ１０２にて印刷されたパターン情報を動画表示用端末装置１０４に接続されたコードスキャナ１０３にて読み取り、読み取ったパターン情報が示す記録データをビデオ記録・配信用端末装置１０７に取得要求し、動画表示用端末装置１０４に表示させるフローチャートを示す。
【００７０】
まず、動画表示用端末装置１０４上で動画表示プログラムを起動すると、後述する表示画面（図１３参照）に示す内容が表示される。そして、図９〜１１にて示したパターン情報をコードスキャナ１０３を用いて読み取る（ステップＳ１２０１）。画面には後述する表示画面１３０２（図１３参照）と、同じく後述する終了ボタン１３０３（図１３参照）が表示されている。
【００７１】
ステップＳ１２０１にて読み取った検索情報である記録データのファイル名と時刻情報とを読み出し、その時刻に対応する記録データをビデオ記録・配信用端末装置１０７へ取得要求し、受信した記録データを後述する図１３の表示画面１３０２に表示する（ステップＳ１２０２）。そして、終了ボタン１３０３が押下されたか否かを判断する（ステップＳ１２０３）。
【００７２】
終了ボタン１３０３が押下されていない場合は（ステップＳ１２０３：Ｎｏ）、表示画面１３０２に表示されている記録データの表示を継続する（ステップＳ１２０２）。終了ボタン１３０３が押下された場合は（ステップＳ１２０３：Ｙｅｓ）、記録データの表示を終了し、処理を終了する。
【００７３】
図１３は、この発明の本実施の形態１にかかる動画表示プログラムの表示画面の一例を示す説明図である。図１３に示す表示画面は、動画表示用端末装置１０４上にて実行される動画表示プログラムによって表示される。
【００７４】
動画表示用端末装置１０４にて動画表示プログラムが実行されると、図１３に示すウィンドウ１３０１が、ディスプレイ上に表示される。ウィンドウ１３０１の上部のバーにはタイトルが表示され、その下の画面本体上部にはプリントサーバ１０８のパターン情報印刷プログラムによって紙媒体上に印刷されたパターン情報を、コードスキャナ１０３で読み取るよう、ユーザに指示する説明が表示される。
【００７５】
その下の表示画面１３０２には、コードスキャナ１０３で読み取った検索情報である記録データのファイル名と時刻情報とから、その時刻に対応する記録データをビデオ記録・配信用端末装置１０７へ取得要求し、取得した記録データを表示画面１３０２に表示する。図１３では、表示するビデオデータがまだ指定されておらず、表示をおこなう表示画面１３０２は黒く塗りつぶされている状態である。動画表示プログラムを終了させる際は、終了ボタン１３０３を押下する。
【００７６】
以上説明したように、実施の形態１によれば、カメラ１０５とマイク１０６からそれぞれ入力される画像データおよび音声データの少なくともいずれか一方の記録データを記録している最中に、後で再生させたい記録データの再生位置を示す検索情報を、携帯端末１０１のタッチパネル２０５から入力することができる。これにより、記録したデータのなかから、所望の再生位置を指し示す検索情報の入力を、視覚確認しながら簡単におこなうことができ、情報の取得効率の向上を図ることができる。
【００７７】
また、入力した検索情報を２次元バーコードなどのパターン情報としてプリンタ１０２から紙媒体に印刷することができる。これにより、記録したデータのなかから、所望の再生位置を指し示す検索情報を、入力したその場で印刷して紙媒体に出力することができるようになるため、操作者自身で容易に紙媒体の作成をおこなうことができるようになる。さらに、記録データや入力した検索情報の内容を転記したりメモをとる必要がなくなり、情報管理の簡易化を図ることができる。
【００７８】
また、プリンタ１０２にて印刷した２次元バーコードのパターン情報を読み込み、読み取った検索情報から記録データを取得し、所望の再生位置から再生させることができるようになる。これにより、一覧性・追記性を備えた紙媒体と記録データとを関連付けることができるようになる。
【００７９】
（実施の形態２）
図１４は、この発明の本実施の形態２にかかる携帯端末１０１における入力プログラムの処理の一例を示すフローチャートである。図５では携帯端末１０１から検索情報を入力するたびに印刷をおこなっていたが、図１４ではビデオ記録・配信用端末装置１０７に記録された記録データを、所望の位置から再生させるための検索情報を、携帯端末１０１上にて一括して入力するための入力プログラムの動作をフローチャートにて示す。
【００８０】
まず、図６にて示した入力プログラムの表示画面を液晶ディスプレイ２０４に表示する（ステップＳ１４０１）。つぎに、タッチパネル２０５上に表示される図６にて示したＩｎｓｅｒｔボタン６０１を、ユーザがペンなどを用いて押下する指示入力の待機状態に入る（ステップＳ１４０２）。そして、図６にて示したＥｎｄボタン６０２が押下されたか否かを判断する（ステップＳ１４０３）。Ｅｎｄボタン６０２が押下されたと判断した場合は（ステップＳ１４０３：Ｙｅｓ）、そのまま処理を終了する。
【００８１】
Ｅｎｄボタン６０２が押下されず、Ｉｎｓｅｒｔボタン６０１が押下されたと判断した場合は（ステップＳ１４０３：Ｎｏ）、ビデオ記録・配信用端末装置１０７に記録された記録データを、所望の位置から再生させるための検索情報をメモリ２０２に記憶し（ステップＳ１４０４）、再びステップＳ１４０２に示したユーザの指示入力の待機状態へと戻る。
【００８２】
図１５は、この発明の本実施の形態２にかかるプリントサーバ１０８におけるパターン情報印刷プログラムの処理の一例を示すフローチャートである。図１５では、プリントサーバ１０８が、携帯端末１０１に記憶された検索情報のリストを受信し、リストに含まれる複数の検索情報をそれぞれパターン情報に変換し、プリンタ１０２にて所望の数ごとにまとめて印刷をおこなう流れをフローチャートにて示す。ここで、リストとは、検索情報を複数まとめたファイルを指し、携帯端末１０１のメモリ２０２に複数の検索情報を一時的に記憶した後にプリントサーバ１０８に送信する際の形態をいう。
【００８３】
まず、パターン情報印刷プログラムは、ビデオ記録・配信用端末装置１０７から記録プログラムが終了したことを示す信号をＬＡＮ１００を介して検知する（ステップＳ１５０１）。ステップＳ１５０１にて記録プログラムの終了を検知すると、携帯端末１０１のメモリ２０２に記録された検索情報のリストを受信する（ステップＳ１５０２）。但し、携帯端末１０１と同等の携帯端末装置がＬＡＮ１００に複数接続されている場合は、ユーザＩＤをリストと共に受信する。プリントサーバ１０８は、このユーザＩＤによってそれぞれのリストがどの携帯端末装置から受信したものであるのかを判断する。そして、後述するパターン情報の印刷もこのユーザＩＤごとにおこなう。
【００８４】
携帯端末１０１から受信したリストに複数含まれるそれぞれの検索情報を、可視のパターン情報に変換する（ステップＳ１５０３）。ステップＳ１５０３にて変換したパターン情報をプリンタ１０２に対して印刷指示を出して印刷をおこなう（ステップＳ１５０４）。この動作は、既存の各種ＯＳ（Ｏｐｅｒａｔｉｎｇ  Ｓｙｓｔｅｍ）の機能により印刷コマンドを発行し、プリンタ１０２にインストールされたプリンタドライバの制御を用いて容易に実現することができる。
【００８５】
図１６は、この発明の本実施の形態２にかかる検索情報を一括して印刷した結果となる紙媒体例１を示す説明図である。図１６では、携帯端末１０１にて記憶された複数の検索情報を、プリントサーバ１０８がリストとして受信し、パターン情報に変換してプリンタ１０２から印刷をおこなう際の具体例を示すものである。
【００８６】
携帯端末１０１にて入力し、記憶した検索情報を一括して紙媒体１６０１上に印刷する一例を示したものである。紙媒体１６０１の最上部には記録された記録データのファイル名が、その下には検索情報を記録したユーザのＩＤを示す文字情報が印刷される。そして、その下には検索情報を変換したパターン情報と、それが指す記録データの時刻情報が印刷されている。この１ページ内に印刷されるパターン情報と記録データの時刻情報との組み合わせの数は、パターン情報自身の大きさや、プリントサーバ１０８に送信する際の印刷設定によって決定される。このように、記録データを再生させるためのパターン情報と、検索情報が、紙面上に一覧表示されるので、記録データの所望の位置からの再生を効率的におこなうことができるようになる。
【００８７】
図１７は、この発明の本実施の形態２にかかる検索情報を一括して印刷した結果となる紙媒体例２を示す説明図である。図１７では、携帯端末１０１にて記憶された複数の検索情報を、プリントサーバ１０８がリストとして受信し、パターン情報に変換してプリンタ１０２から印刷をおこなう際の具体例を示すものである。
【００８８】
携帯端末１０１にて入力し、記憶した検索情報を一括して紙媒体１７０１上に印刷する一例を示したものである。紙媒体１７０１の最上部には記録された記録データのファイル名が、その下には検索情報を記録したユーザのＩＤを示す文字情報が印刷される。そして、その下にはインデックス画像１７０２と、検索情報を変換したパターン情報と、を印刷したものである。
【００８９】
ここで、インデックス画像１７０２は、記録データの該当する時刻の静止画像であり、時刻情報の代わりとして印刷するものである。図示のようにインデックス画像１７０２があれば、静止画像内に撮影された説明者の身振りや、他の参加者の動きや、説明者の筆記動作などの視覚的な変化が紙面上に一覧表示されるため、記録データの所望の位置からの再生を効率的におこなうことができるようになる。
【００９０】
以上説明したように、実施の形態２によれば、ビデオ記録・配信用端末装置１０７に記録データを記録している際に、記録データを所望の位置から再生させるための検索情報を、携帯端末１０１のタッチパネル２０５から入力してメモリ２０２に複数を記憶させ、一括してプリンタ１０２から印刷をおこなうことができるようになる。このため、一覧性が高い紙媒体などに複数のまとまった印刷結果を得ることができるようになる。また、この印刷結果には、コードスキャナ１０３によって読み込ませるパターン情報が一覧表示されるため、パターン情報の読み込み、すなわち記録データの取得を効率的におこなわせることができるようになる。
【００９１】
また、パターン情報を印刷するとともに、記録データの静止画像であるインデックス画像１７０２を印刷するため、所望の位置を再生させたい記録データがどのような場面であるのかが視覚的に把握し易くなる。さらに、図１７にて示したように、インデックス画像１７０２内に撮影された説明者の身振りや、他の参加者の動きなどから記録データの所望の位置を探すことができるため、効率的に必要な情報の取得をおこなうことが可能となる。
【００９２】
（実施の形態３）
図１８は、この発明の本実施の形態３にかかる装置例１を示す説明図である。上述した実施の形態１、２にて、携帯端末１０１上で入力プログラムを実行することを示したが、その他の、記録プログラム、パターン情報印刷プログラム、動画表示プログラム、動画配信プログラムなどの各プログラムも、携帯端末１０１にて実行することができる。たとえば、これらのプログラムを格納した記録メディア１８０１を携帯端末１０１に装着し、この記録メディア１８０１から上述した各プログラムを適宜実行させることにより、各機能を実現することができる。
【００９３】
図１９は、この発明の本実施の形態３にかかる装置例２を示す説明図である。上述した実施の形態１、２にて示した、記録プログラム、入力プログラム、パターン情報印刷プログラム、動画表示プログラム、動画配信プログラムなどの各プログラムは、パーソナルコンピュータ１９０２にて実行することができる。そして、これらのプログラムを格納した記録メディア１９０１（たとえば、ＣＤ−ＲＯＭなど）をパーソナルコンピュータ１９０２に装着し、この記録メディア１９０１から上述した各プログラムを適宜実行させることにより、各機能を実現することができる。
【００９４】
以上説明したように、実施の形態３によれば、実施の形態１、２にて示した記録プログラム、入力プログラム、パターン情報印刷プログラム、動画表示プログラム、動画配信プログラムを実行させる装置を、実施の形態１、２にて示した装置のみに限定されなくすることができる。
【００９５】
なお、上記実施の形態において、ビデオ記録・配信用端末装置１０７、携帯端末１０１、プリンタ１０２、プリントサーバ１０８、および、動画表示用端末装置１０４が、同一のＬＡＮ１００内に接続されていると説明したが、これ以外の接続形態であってもよい。たとえば、動画表示用端末装置１０４が外部のネットワークに接続されており、そこからビデオ記録・配信用端末装置１０７が接続されているＬＡＮ１００にアクセスさせることができる。
【００９６】
また、図１において、動画表示用端末装置１０４、プリントサーバ１０８、ビデオ記録・配信用端末装置１０７は別々のマシンとして説明したが、これら以外の構成であってもよい。たとえば、ビデオを記録する装置と、ビデオを配信する装置と、を分けてもよい。また、１台の端末装置または携帯端末装置が、ビデオ記録、プリンタ制御、およびビデオの表示・再生（１台の場合は配信機能は不要）を全ておこなってもよい。この場合、１台の端末装置または携帯端末装置が、プリンタ１０２を接続するインターフェースを備えていればよい。
【００９７】
また、上述した実施の形態１〜３にて、１台のプリンタ１０２によって複数ユーザの紙媒体を印刷すると説明したが、各々の携帯端末１０１がそれぞれにプリンタ１０２を接続する構成としてもよい。たとえば、ブラザー工業（株）社製ＭＷ−１００（Ｒ）のように、ＰｏｃｋｅｔＰＣ  ＯＳ（Ｒ）の搭載された携帯端末装置と、赤外線接続が可能なモバイルプリンタがあり、１台の携帯端末装置ごとに１台のモバイルプリンタを接続することも可能である。
【００９８】
また、上述した実施の形態１〜３にて、パターン情報を読み取る前に動画表示プログラムを起動しておくと説明したが、たとえば、パターン情報を読み取ると同時に動画表示プログラムが起動され、取得要求した記録データを再生してもよい。
【００９９】
また、上述した実施の形態１〜３にて、記録データのファイル形式をＭＰＥＧ−４として説明したが、これ以外のファイル形式であってもよい。たとえば、Ｍｉｃｒｏｓｏｆｔ社のＷｉｎｄｏｗｓ  Ｍｅｄｉａ（Ｒ）Ｖｉｄｅｏ形式や、ＲｅａｌＮｅｔｗｏｒｋｓ社のＲｅａｌ  Ｖｉｄｅｏ（Ｒ）形式でもよい。
【０１００】
また、上述した実施の形態１〜３にて、検索情報を、記録データへのＵＲＬと、Ｉｎｓｅｒｔボタン６０１が押下された相対時刻（記録プログラムの開始を０とする）として説明したが、たとえば、検索情報を、絶対時刻（ビデオ記録・配信用端末装置１０７のクロックを基準とする）のみとし、絶対時刻が動画配信プログラムに送信されると、動画配信プログラムは該当する記録ファイルを自動選択し、絶対時刻からの記録データを、動画表示用端末装置１０４に送信するというものであってもよい。
【０１０１】
また、上述した実施の形態１〜３にて、検索情報が入力された時刻の記録データを動画像として表示することを前提として説明したが、画像データのみ、音声データのみ、その他アニメーションなどのデータを再生させるものであってもよい。
【０１０２】
また、上述した実施の形態１〜３にて、入力した検索情報はパターン情報に変換し、全て印刷媒体に出力されるものとして説明したが、パターン情報を画像情報として保存してもよい。この画像情報のパターン情報を動画表示用端末装置１０４のディスプレイ上に表示し、コードスキャナ１０３にて画面上から読み込ませることで、記録データを所望の再生位置から再生させることができる。こうすることにより、印刷した紙媒体の紛失を防止することができ、また、同じディスプレイ上で操作できることによって、何度も同じ場面を繰り返し見る必要がある場合など効率的な操作をおこなうことができる。
【０１０３】
なお、本実施の形態で説明した情報処理方法は、予め用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【０１０４】
以上のように、本発明にかかる情報処理方法、およびその方法をコンピュータに実行させるプログラム、情報処理システムは、記録後の音声データや画像データを効率的に再生させるために有用であり、特に、講演会や会議などの記録データの情報取得の効率化や、情報の管理をおこなう場合に適している。
【図面の簡単な説明】
【０１０５】
【図１】この発明の本実施の形態１にかかる情報処理システムのシステム構成を示す構成図である。
【図２】この発明の本実施の形態１にかかる携帯端末のハードウエア構成を示すブロック図である。
【図３】この発明の本実施の形態１にかかるビデオ記録・配信用端末装置における記録プログラムの処理の一例を示すフローチャートである。
【図４】この発明の本実施の形態１にかかる記録プログラムの表示画面の一例を示す説明図である。
【図５】この発明の本実施の形態１にかかる携帯端末１０１における入力プログラムの処理の一例を示すフローチャートである。
【図６】この発明の本実施の形態１にかかる入力プログラムの表示画面の一例を示す説明図である。
【図７】この発明の本実施の形態１にかかる検索情報の一例を示す説明図である。
【図８】この発明の本実施の形態１にかかるプリントサーバ１０８におけるパターン情報印刷プログラムの処理の一例を示すフローチャートである。
【図９】この発明の本実施の形態１にかかる印刷された紙媒体例１を示す説明図である。
【図１０】この発明の本実施の形態１にかかる印刷された紙媒体例２を示す説明図である。
【図１１】この発明の本実施の形態１にかかる印刷された紙媒体例３を示す説明図である。
【図１２】この発明の本実施の形態１にかかる動画表示用端末装置１０４における動画表示プログラムの処理の一例を示すフローチャートである。
【図１３】この発明の本実施の形態１にかかる動画表示プログラムの表示画面の一例を示す説明図である。
【図１４】この発明の本実施の形態２にかかる携帯端末１０１における入力プログラムの処理の一例を示すフローチャートである。
【図１５】この発明の本実施の形態２にかかるプリントサーバ１０８におけるパターン情報印刷プログラムの処理の一例を示すフローチャートである。
【図１６】この発明の本実施の形態２にかかる検索情報を一括して印刷した結果となる紙媒体例１を示す説明図である。
【図１７】この発明の本実施の形態２にかかる検索情報を一括して印刷した結果となる紙媒体例２を示す説明図である。
【図１８】この発明の本実施の形態３にかかる装置例１を示す説明図である。
【図１９】この発明の本実施の形態３にかかる装置例２を示す説明図である。
【符号の説明】
【０１０６】
１００  ＬＡＮ
１０１  携帯端末
１０２  プリンタ
１０３  コードスキャナ
１０４  動画表示用端末装置
１０５  カメラ
１０６  マイク
１０７  ビデオ記録・配信用端末装置
１０８  プリントサーバ
２０１  ＣＰＵ
２０２  メモリ
２０３  クロック
２０４  液晶ディスプレイ
２０５  タッチパネル
２０６  ネットワークインターフェース
４００，６００  ウィンドウ
４０１  オブジェクト
４０２  Ｓｔａｒｔボタン
４０３  Ｓｔｏｐボタン
６０１  Ｉｎｓｅｒｔボタン
６０２  Ｅｎｄボタン
【図１】
2005072811.tif 000003
【図２】
2005072811.tif 000004
【図３】
2005072811.tif 000005
【図４】
2005072811.tif 000006
【図５】
2005072811.tif 000007
【図６】
2005072811.tif 000008
【図７】
2005072811.tif 000009
【図８】
2005072811.tif 000010
【図９】
2005072811.tif 000011
【図１０】
2005072811.tif 000012
【図１１】
2005072811.tif 000013
【図１２】
2005072811.tif 000014
【図１３】
2005072811.tif 000015
【図１４】
2005072811.tif 000016
【図１５】
2005072811.tif 000017
【図１６】
2005072811.tif 000018
【図１７】
2005072811.tif 000019
【図１８】
2005072811.tif 000020
【図１９】
2005072811.tif 000021